(57)【特許請求の範囲】
【請求項１】
現像剤を収容する現像剤収容ケースと、該現像剤収容ケースに軸支され、外周面に現像剤を担持して潜像担持体上の静電潜像にトナーを供給して現像する現像ローラと、該現像ローラが担持する現像剤の層厚を規制する現像剤規制部材と、を備え、
この現像剤規制部材の突端が、前記現像ローラの外周面と所定のギャップだけ離間するように、前記現像剤収容ケースにネジでネジ止めされている現像装置において、
前記現像剤規制部材は、前記現像ローラの軸線方向を長手方向とする矩形状の平板部を有し、該平板部は、長手方向に沿って前記ネジと螺合する複数のネジ孔を有し、前記平板部が、前記現像剤収容ケースの内側に前記ネジのネジ頭がくるようにネジ止めされており、
前記現像剤収容ケースは、ドライバー挿入用の挿入口が前記ネジの軸線延長上に設けられていることを特徴とする現像装置。
【請求項２】
前記ネジのネジ足の長さは、前記現像剤規制部材から突出しない長さに設定されていることを特徴とする請求項１に記載の現像装置。
【請求項３】
前記ネジは、非磁性材料からなることを特徴とする請求項１又は２に記載の現像装置。
【請求項４】
前記現像剤収容ケースの前記ネジが貫通する孔は、前記現像ローラの軸線に対して垂直方向に長い長円孔であることを特徴とする請求項１ないし３のいずれかに記載の現像装置。
【請求項５】
前記現像剤収容ケースは、前記長円孔の内側に連接し、前記長円孔と略相似形に窪んで前記ネジのネジ頭を収容する座繰り部を有し、該座繰り部の最短の内径は、ネジ頭の直径と略同径となっていることを特徴とする請求項４に記載の現像装置。
【請求項６】
前記ネジは、ネジ頭とネジ足との間に、ネジ頭径より小さくネジ足径より大きい直径を有する段部が設けられた段ネジとなっており、
該段ネジの段部の直径は、前記長円孔の短径と嵌め合い公差の関係にあることを特徴とする請求項５に記載の現像装置。
【請求項７】
前記現像剤収容ケースは、現像剤を前記現像ローラに攪拌して搬送する攪拌スクリューを備え、
前記挿入口は、前記攪拌スクリューの軸線と、ドライバーの挿入経路となる挿入口と前記現像剤収容ケースのネジ孔とを結ぶ直線と、が交差しないように配置されていることを特徴とする請求項１ないし６のいずれかに記載の現像装置。
【請求項８】
前記現像剤収容ケースは、前記攪拌スクリューとその搬送経路を２本備えた２軸搬送タイプであり、前記挿入口は、前記現像剤規制部材側の搬送経路にのみ設けられていることを特徴とする請求項７に記載の現像装置。
【請求項９】
前記現像剤収容ケースは、現像剤を前記現像ローラに攪拌して供給する攪拌羽根を備え、
該攪拌羽根は、ドライバー挿入時にドライバーを避ける分だけ撓む可撓性を有することを特徴とする請求項１ないし６のいずれかに記載の現像装置。
【請求項１０】
前記挿入口は、前記現像剤収容ケースの内側又は外側からフィルム状のシールで塞がれていることを特徴とする請求項１ないし９のいずれかに記載の現像装置。
【請求項１１】
前記請求項１ないし１０のいずれかに記載の現像装置を備えたことを特徴とするプロセスカートリッジ。
【請求項１２】
請求項１ないし１０のいずれかに記載の現像装置、又は請求項１１に記載のプロセスカートリッジを備えたことを特徴とする画像形成装置。
【請求項１３】
静電潜像にトナーを供給して現像する現像ローラと所定のギャップだけ離間して現像剤の層厚を規制する現像剤規制部材を、現像剤を収容する現像剤収容ケースにネジ止めするネジ止め方法において、
前記現像剤収容ケースの内側にネジ頭がくるように、前記現像剤収容ケースに設けられた挿入口からドライバーを挿入してネジ止めすることを特徴とする現像剤規制部材のネジ止め方法。
【請求項１４】
前記現像剤規制部材を、前記現像剤収容ケースにネジ止めした後に、前記挿入口をフィルム状のシールで塞ぐことを特徴とする請求項１３に記載の現像剤規制部材のネジ止め方法。
【発明の詳細な説明】
【技術分野】
【０００１】
本発明は、複写機、ファクシミリ、プリンタ、これらの複合機等の電子写真方式の画像形成装置に用いられる現像装置、プロセスカートリッジに関し、詳しくは、現像剤規制部材のネジ止め方法に関するものである。
【背景技術】
【０００２】
従来、表面に現像剤を担持する現像ローラ（現像剤担持体）と、この現像ローラが担持する現像剤を規制するドクタブレード（現像剤規制部材）を備え、潜像担持体上の静電潜像を各色のトナーでトナー像化する現像装置、及びそれを備えたプロセスカートリッジが提案されており、このドクタブレードの現像ケース（現像剤収容ケース）への取付に関しても様々なものが提案されている（例えば、特許文献１、２）。
【０００３】
また近年、高速性に優れていることからタンデム型のフルカラー画像形成装置が普及し、このタンデム型のフルカラー画像形成装置についても様々なタイプのものが提案されている。そして、このような画像形成装置では、商品性を高めるために、現像装置を含む作像部分の小型化の要請が非常に強まってきている。しかし、現像装置を単に小型化するだけでは耐久面とレイアウト面が問題となってくる。
【０００４】
耐久面では、例えば、感光体ドラムが小径化すると、感光体ドラムの膜厚磨耗による放電破壊に対して不利であり、また、現像装置が小型化することにより収容される２成分現像剤が小容量になると、少ないキャリアが繰り返し攪拌されて、キャリアの膜が削れることによる放電破壊に対して不利である。そのうえ、ギアが小径化すると磨耗に対して不利であり、他の部品も一般に細く薄くなると強度が弱くなるという問題がある。
【０００５】
レイアウト面では、例えば、現像装置が小型化すると、寸法に対して公差が占める割合が増え、レイアウトの自由度がなくなり、設計が困難となる。また、ネジ、ボルト、ナットなどの部品は、市販の規格品を利用した方がコスト面では有利であるが、規格部品を使用すると、大きさがその規格に制限されるために単純に小さくできないという問題もある。
【０００６】
特に、感光体ドラムを小径化すると、現像装置、帯電部材、クリーニング装置などの感光体ドラムの廻りに配置される装置等が、感光体ドラムの外周面を占める割合が相対的に増加し、露光手段のレーザ光線が通過するスペースを取りにくくなることが問題となっている。
【０００７】
図７は、感光体ドラムを小径化した場合の問題点を説明する説明図である。図中の符号１００は感光体ドラム、符号１１０は帯電ローラ、符号１２０は現像装置、Ｌはレーザ光線を示す。この現像装置１２０は、従来の現像装置として例示する２軸搬送タイプの現像装置であり、トナーとキャリアからなる現像剤を収容する現像剤収容ケース１２１と、現像剤収容ケース１２１に軸支され、外周面に現像剤を担持して感光体ドラム１００上の静電潜像にトナーを供給して現像する現像ローラ１２２と、現像ローラ１２２が担持する現像剤の層厚を規制するドクタブレード１２３とを備えている。このドクタブレード１２３は、その突端が現像剤収容ケース１２１から突き出して、現像ローラ１２２の外周面と所定のギャップだけ離間するように、現像剤収容ケース１２１にネジＮでネジ止めされている。
【０００８】
図７から明らかなように、感光体ドラム１００を小型化すると現像装置１２０や帯電ローラ１１０が感光体ドラム１００の外周面を占める割合が相対的に増加し、現像装置１２０と帯電ローラ１１０との間隔が狭くなる。そして、光学ユニットから照射されたレーザ光線Ｌは、ドクタブレード１２３を現像剤収容ケース１２１に止め付けるネジＮのネジ頭によって阻まれ、感光体ドラム１００に達しないことが分かる。このように感光体ドラム１００を小径化すると、レーザ光線Ｌが通過する現像装置１２０と帯電ローラ１１０との隙間を確保するのが難しくなる。また、レーザ光線は、光学ユニットの内部で何度もレンズを通過し、ミラーに反射されてから照射されるので、感光体ドラム１００に達するまでに１ｍｍ程度の誤差を見込むのが通常である。よって、余裕を持ってこの隙間は数ｍｍ程度確保する必要がある。
【０００９】
【特許文献１】特開２００６−１２６７６４号公報
【特許文献２】特開２００２−０７２６７１号公報
【発明の開示】
【発明が解決しようとする課題】
【００１０】
そこで、本発明は、前記従来の問題点を解決するべく、現像剤規制部材の現像ケーシへの取付方法を改良し、装置全体を小型化しても潜像担持体へ静電潜像を書き込むレーザ光線の経路を確保することができる現像装置、プロセスカートリッジ、及び画像形成装置、並びに、現像剤規制部材のネジ止め方法を提供することを目的とする。
【課題を解決するための手段】
【００１１】
前記課題を解決するために、請求項１に記載の発明は、現像剤を収容する現像剤収容ケースと、該現像剤収容ケースに軸支され、外周面に現像剤を担持して潜像担持体上の静電潜像にトナーを供給して現像する現像ローラと、該現像ローラが担持する現像剤の層厚を規制する現像剤規制部材と、を備え、この現像剤規制部材の突端が、前記現像ローラの外周面と所定のギャップだけ離間するように、前記現像剤収容ケースにネジでネジ止めされている現像装置において、前記現像剤規制部材は、前記現像ローラの軸線方向を長手方向とする矩形状の平板部を有し、該平板部は、長手方向に沿って前記ネジと螺合する複数のネジ孔を有し、前記平板部が、前記現像剤収容ケースの内側に前記ネジのネジ頭がくるようにネジ止めされており、前記現像剤収容ケースは、ドライバー挿入用の挿入口が前記ネジの軸線延長上に設けられていることを特徴とする。
【００１２】
請求項２に記載の発明は、請求項１において、ネジのネジ足の長さは、現像剤規制部材から突出しない長さに設定されていることを特徴とする。
【００１３】
請求項３に記載の発明は、請求項１又は２において、ネジは、非磁性材料からなることを特徴とする。
【００１４】
請求項４に記載の発明は、請求項１ないし３のいずれかにおいて、現像剤収容ケースのネジが貫通する孔は、現像ローラの軸線に対して垂直方向に長い長円孔であることを特徴とする。
【００１５】
請求項５に記載の発明は、請求項４において、現像剤収容ケースは、長円孔の内側に連接し、長円孔と略相似形に窪んでネジのネジ頭を収容する座繰り部を有し、該座繰り部の最短の内径は、ネジ頭の直径と略同径となっていることを特徴とする。
【００１６】
請求項６に記載の発明は、請求項５において、ネジは、ネジ頭とネジ足との間に、ネジ頭径より小さくネジ足径より大きい直径を有する段部が設けられた段ネジとなっており、該段ネジの段部の直径は、長円孔の短径と嵌め合い公差の関係にあることを特徴とする。
【００１８】
請求項７に記載の発明は、請求項１ないし６のいずれかにおいて、現像剤収容ケースは、現像剤を現像ローラに攪拌して搬送する攪拌スクリューを備え、挿入口は、攪拌スクリューの軸線と、ドライバーの挿入経路となる挿入口と現像剤収容ケースのネジ孔とを結ぶ直線と、が交差しないように配置されていることを特徴とする。
【００１９】
請求項８に記載の発明は、請求項７において、現像剤収容ケースは、攪拌スクリューとその搬送経路を２本備えた２軸搬送タイプであり、挿入口は、現像剤規制部材側の搬送経路にのみ設けられていることを特徴とする。
【００２０】
請求項９に記載の発明は、請求項１ないし６のいずれかにおいて、現像剤収容ケースは、現像剤を現像ローラに攪拌して供給する攪拌羽根を備え、該攪拌羽根は、ドライバー挿入時にドライバーを避ける分だけ撓む可撓性を有することを特徴とする。
【００２１】
請求項１０に記載の発明は、請求項１ないし９において、挿入口は、現像剤収容ケースの内側又は外側からフィルム状のシールで塞がれていることを特徴とする。
【００２２】
請求項１１に記載の発明は、請求項１ないし１０のいずれかに記載の現像装置を備えたことを特徴とする。
【００２３】
請求項１２に記載の発明は、請求項１ないし１０のいずれかに記載の現像装置、又は請求項１１に記載のプロセスカートリッジを備えたことを特徴とする。
【００２５】
請求項１３に記載の発明は、静電潜像にトナーを供給して現像する現像ローラと所定のギャップだけ離間して現像剤の層厚を規制する現像剤規制部材を、現像剤を収容する現像剤収容ケースにネジ止めするネジ止め方法において、前記現像剤収容ケースの内側にネジ頭がくるように、前記現像剤収容ケースに設けられた挿入口からドライバーを挿入してネジ止めすることを特徴とする。
【００２６】
請求項１４に記載の発明は、請求項１３において、現像剤規制部材を、現像剤収容ケースにネジ止めした後に、挿入口をフィルム状のシールで塞ぐことを特徴とする。
【発明の効果】
【００２７】
この発明は、前記のようであって、請求項１に記載の発明によれば、現像剤を収容する現像剤収容ケースと、該現像剤収容ケースに軸支され、外周面に現像剤を担持して潜像担持体上の静電潜像にトナーを供給して現像する現像ローラと、該現像ローラが担持する現像剤の層厚を規制する現像剤規制部材と、を備え、この現像剤規制部材の突端が、前記現像ローラの外周面と所定のギャップだけ離間するように、前記現像剤収容ケースにネジでネジ止めされている現像装置において、前記現像剤規制部材は、前記現像ローラの軸線方向を長手方向とする矩形状の平板部を有し、該平板部は、長手方向に沿って前記ネジと螺合する複数のネジ孔を有し、前記平板部が、前記現像剤収容ケースの内側に前記ネジのネジ頭がくるようにネジ止めされており、前記現像剤収容ケースは、ドライバー挿入用の挿入口が前記ネジの軸線延長上に設けられているので、また、請求項２に記載の発明によれば、請求項１において、ネジのネジ足の長さは、現像剤規制部材から突出しない長さに設定されているので、レイアウトの自由度を犠牲にすることなく潜像担持体を小型化して、潜像担持体へ静電潜像を書き込むレーザ光線の経路を確保することができるだけでなく、ドライバーなどの汎用の道具で容易に現像剤収容ケースの内側から現像剤規制部材をネジ止めすることができる。また、メンテナンスなどの再調整の際に、現像剤規制部材と現像ローラとのギャップを容易に再調整することができる。
【００２８】
請求項３に記載の発明によれば、請求項１又は２において、ネジは、非磁性材料からなるので、前記効果に加え、ネジが磁化して現像剤の搬送に悪影響を及ぼす虞がない。
【００２９】
請求項４に記載の発明によれば、請求項１ないし３のいずれかにおいて、現像剤収容ケースのネジが貫通する孔は、現像ローラの軸線に対して垂直方向に長い長円孔であるので、前記効果に加え、ギャップと同厚のプレートを現像ローラと現像剤規制部材との間に噛ましてネジ止めするなど、容易に現像剤規制部材と現像ローラとのギャップを所定値に調整してネジ止めすることができる。また、メンテナンスなどの再調整の際も容易にギャップを所定値にすることができる。
【００３０】
請求項５に記載の発明によれば、請求項４において、現像剤収容ケースは、長円孔の内側に長円孔と略相似形に窪んでネジのネジ頭を収容する座繰り部を有し、該座繰り部の最短の内径は、ネジ頭の直径と略同径となっているので、前記効果に加え、ネジのネジ頭が現像剤搬送の支障とならず、且つ、座繰り部に溜まる無駄な現像剤を最小にすることができる。また、座繰り部がネジをネジ孔に装着する際のガイドの機能を果たし、容易にネジ止めすることができる。
【００３１】
請求項６に記載の発明によれば、請求項５において、ネジは、ネジ頭とネジ足との間に、ネジ頭径より小さくネジ足径より大きい直径を有する段部が設けられた段ネジとなっており、該段ネジの段部の直径は、長円孔の短径と嵌め合い公差の関係にあるので、前記効果に加え、外周面にネジ溝が切られていない段ネジの段部と長円孔とを嵌り合わせるだけで微調整することなく現像剤規制部材を所定のギャップとなるよう取り付けることができる。
【００３３】
請求項７に記載の発明によれば、請求項１ないし６のいずれかにおいて、現像剤収容ケースは、現像剤を現像ローラに攪拌して搬送する攪拌スクリューを備え、挿入口は、攪拌スクリューの軸線と、ドライバーの挿入経路となる挿入口と現像剤収容ケースのネジ孔とを結ぶ直線と、が交差しないように配置されているので、攪拌スクリューを現像剤収容ケースに取り付けてから現像剤規制部材と現像ローラとのギャップを微調整することも可能となり、また、メンテナンスなどの再調整の際に、攪拌スクリューを一旦取り外す必要がなくなり、作業性が向上する。
【００３４】
請求項８に記載の発明によれば、請求項７において、現像剤収容ケースは、攪拌スクリューとその搬送経路を２本備えた２軸搬送タイプであり、挿入口は、現像剤規制部材側の搬送経路にのみ設けられているので、即ち、２軸搬送タイプの現像装置において、２本の攪拌スクリューが存在する平面に対して現像剤規制部材を取り付ける際のドライバー挿入経路を所定の角度以上になるように設定して、ドライバーの挿入口を１つにしたので、２軸搬送タイプの現像装置においても挿入口を塞ぐ作業が１箇所で済み、作業能率が向上する。
【００３５】
請求項９に記載の発明によれば、請求項１ないし６のいずれかにおいて、現像剤収容ケースは、現像剤を現像ローラに攪拌して供給する攪拌羽根を備え、該攪拌羽根は、ドライバー挿入時にドライバーを避ける分だけ撓む可撓性を有するので、前記効果に加え、攪拌羽根を現像剤収容ケースに取り付けてから現像剤規制部材を現像剤収容ケースに取り付けることもでき作業性が向上する。また、現像剤規制部材と現像ローラとのギャップを微調整することも容易であり、メンテナンスなどの再調整の際に、攪拌羽根を取り外す必要がない。
【００３６】
請求項１０に記載の発明によれば、請求項１ないし９において、挿入口は、現像剤収容ケースの内側又は外側からフィルム状のシールで塞がれているので、前記効果に加え、シールを挿入口に貼着する作業だけで挿入口を塞ぐことができ作業効率が向上する。また、シールの接着剤を再貼着可能なものにすれば、メンテナンスなどの再調整の際にもシールを剥がしたり貼ったりするだけで容易に作業をすることができる。
【００３７】
請求項１１に記載の発明によれば、プロセスカートリッジが請求項１ないし１０のいずれかに記載の現像装置を備えているので、プロセスカートリッジにおいて前記効果を奏することができる。
【００３８】
請求項１２に記載の発明によれば、画像形成装置が請求項１ないし１０のいずれかに記載の現像装置、又は請求項１１に記載のプロセスカートリッジを備えているので、画像形成装置において前記効果を奏することができる。
【００４０】
請求項１３に記載の発明によれば、静電潜像にトナーを供給して現像する現像ローラと所定のギャップだけ離間して現像剤の層厚を規制する現像剤規制部材を、現像剤を収容する現像剤収容ケースにネジ止めするネジ止め方法において、前記現像剤収容ケースの内側にネジ頭がくるように、現像剤収容ケースに設けられた挿入口からドライバーを挿入してネジ止めするので、レイアウトの自由度を犠牲にすることなく潜像担持体を小型化して、潜像担持体へ静電潜像を書き込むレーザ光線の経路を確保することができるだけでなく、ドライバーなどの汎用の道具で容易に現像剤収容ケースの内側から現像剤規制部材をネジ止めすることができる。また、メンテナンスなどの再調整の際に、現像剤規制部材と現像ローラとのギャップを容易に再調整することができる。
【００４１】
請求項１４に記載の発明によれば、請求項１３において、現像剤規制部材を、現像剤収容ケースにネジ止めした後に、挿入口をフィルム状のシールで塞ぐので、前記効果に加え、シールを挿入口に貼着する作業だけで挿入口を塞ぐことができ作業効率が向上する。
【発明を実施するための最良の形態】
【００４２】
以下、図面を参照しながら、この発明の実施の形態について説明する。
【００４３】
［画像形成装置］
図１は、本発明の実施の形態に係る画像形成装置を示す構成説明図である。図中の符号１は、本発明の画像形成装置の一実施の形態として例示するイエロー、シアン、マゼンタ、ブラックの４色のトナーからカラー画像を形成する４連タンデム型中間転写方式のカラープリンタであり、このカラープリンタ１は、略筐体状の装置本体１０と、この装置本体１０の最上部に配置され、前記４色のニュートナーを収容するニュートナー収容部２と、装置本体１０の中央に配置され、前記４色のトナーからそれぞれの単色トナー像を形成する画像形成部３と、この画像形成部３の下方に配置され、画像形成部３のそれぞれの潜像担持体に静電潜像を書き込む光学ユニット４と、画像形成部３の上方に配置され、画像形成部２で形成したトナー画像を記録材に転写する転写部５と、この転写部５の上方の一側端寄りに配置され、転写部５で転写されたトナー像を記録材に定着する定着部６と、装置本体１０の最下部に配置され、記録材である記録紙を転写部４に給紙する給紙部７と、装置本体１０の上面に形成され、定着部６で画像が定着された記録紙をスタックする排紙部８などから構成されている。
【００４４】
ニュートナー収容部２は、現像に使用されていない新規トナーであるニュートナーを収容するスペースであり、イエロー、シアン、マゼンタ、ブラックのそれぞれのトナーを個別に収容するニュートナーボトル２Ｙ，２Ｃ，２Ｍ，２Ｋを備えている。
【００４５】
画像形成部３は、イエロー、シアン、マゼンタ、ブラックのトナーに対応する潜像担持体としての４つの感光体ドラムＹ，Ｃ，Ｍ，Ｋを中心とする後述の４つのプロセスカートリッジ３Ｙ，３Ｃ，３Ｍ，３Ｋから主に構成され、ニュートナーボトル２Ｙ，２Ｃ，２Ｍ，２Ｋから供給されるイエロー、シアン、マゼンタ、ブラックのトナーからプロセスカートリッジ３Ｙ，３Ｃ，３Ｍ，３Ｋでそれぞれの単色トナー像を形成する。
【００４６】
光学ユニット４は、半導体レーザ（ＬＤ）や発光ダイオード（ＬＥＤ）などの図示しないレーザ光源を有し、このレーザ光源から感光体ドラムＹ，Ｃ，Ｍ，Ｋにレーザ光を照射して、所定の極性に一様に帯電させた感光体ドラムＹ，Ｃ，Ｍ，Ｋの表面を露光して静電潜像を形成する。
【００４７】
転写部５は、中間転写体として半導電性の弾性樹脂からなる無端ベルト状の中間転写ベルト５０と、この中間転写ベルト５０を支持・張架する４つの支持ローラ５１，５２，５３，５４と、前記４つの感光体ドラムＹ，Ｃ，Ｍ，Ｋとそれぞれ中間転写ベルト５０を挟んで対向する４つの１次転写ローラ５５Ｙ，５５Ｃ，５５Ｍ，５５Ｋと、が備えられている。また、この支持ローラ５１は、図示しない駆動手段に接続された駆動ローラとなっており、中間転写ベルト５０を図の矢印方向に回転駆動する。そして、この駆動ローラ５１と中間転写ベルト５０を挟んで対向する位置に、２次転写ローラ５６が設けられ、支持ローラ５２と中間転写ベルト５０を挟んで対向する位置に、クリーニングユニット５７が設けられている。
【００４８】
これらの各１次転写ローラ５５Ｙ，５５Ｃ，５５Ｍ，５５Ｋは、空隙放電による画像劣化を考慮し、各感光体ドラムＹ，Ｃ，Ｍ，Ｋと中間転写ベルト５０を挟んで当接する正対位置から中間転写ベルト５０の搬送方向下流側に少しズラした位置に配置された接触方式の転写バイアス（転写電圧）印加手段であり、図示しないバイアス電源に接続され、図示しない接離機構により中間転写ベルト５０の内側から当接して１次転写ニップを形成し、トナー像と逆極性の１次転写バイアスを中間転写ベルト５０の裏面（内周面）から印加するよう構成されている。
なお、転写バイアス印加手段として、転写チャージャを用いた非接触方式のものでもよいが、本実施の形態では、転写チリの発生が少ない前記１次転写ローラを採用している。
【００４９】
２次転写ローラ５６は、図示しない付勢手段により駆動ローラ５１の外周において中間転写ベルト５０に圧接され、２次転写ニップを形成するよう構成されており、図示しないバイアス電源に接続され、トナー像と逆極性の２次転写バイアスを印加する接触方式の転写バイアス印加手段となっている。また、駆動ローラ５１が転写バイアス印加手段となっていてもよく、その場合、転写するトナー像とは同極性の転写バイアスを印加することになる。
【００５０】
クリーニングユニット５７は、中間転写ベルト５０の表面に付着した転写残トナーをファーブラシ及びクリーニングブレードで回収するクリーニング手段であり、回収した転写残トナーは、クリーニングユニット５７内から図示しない搬送手段により図示しない廃トナータンクまで搬送され、廃棄される。
【００５１】
定着部６は、内部に発熱手段であるヒータを有する定着ローラ６０と、加圧ローラ６１などを備え、この定着ローラ６０に図示しない付勢手段により加圧ローラ６１が付勢されて圧接され、定着ニップが形成される。そして、この定着ニップにおいて、後述の給紙部７から搬送されてきた記録材に、定着ローラ６０による熱と加圧ローラ６１による圧力を加えることにより、転写部５で記録材に転写された未定着のトナー像を記録材に定着するようになっている。
【００５２】
給紙部７は、コピー用紙、樹脂シート（ＯＨＰシートなど）などの所定の大きさの記録材（紙に限定されるものではない）を収容・ストックする給紙カセット７０と、このストックされた記録材に所定圧で圧接されており、制御手段（図示せず）の制御信号に基づいて記録材を１枚ずつ搬送路に送り出すピックアップローラ７１、記録材を２次転写ニップへ搬送するタイミングを調整するレジストローラ対７２などを備えている。
【００５３】
排紙部８は、装置本体１０の上面に形成された排紙トレイ８０と、この排紙トレイ８０に定着部６を通過した記録材を装置本体１０から排出する排紙ローラ対８１などを備え、この排紙ローラ対８１から排出された記録材が排紙トレイ８０上に集積されるようになっている。
【００５４】
［プロセスカートリッジ］
次に、プリンタ１のプロセスカートリッジについて説明する。
図２は、本発明の一実施の形態に係るプロセスカートリッジを示す構成説明図である。前述のように、カラープリンタ１は、中間転写ベルト５０の下面に沿って移動方向上流側からイエロー、シアン、マゼンタ、ブラックの順番に４つのプロセスカートリッジ３Ｙ，３Ｃ，３Ｍ，３Ｋを備えている（図１参照）。これらのプロセスカートリッジ３Ｙ，３Ｃ，３Ｍ，３Ｋは、略同様な構成となっているので、最上流に配設されたイエロー用プロセスカートリッジ３Ｙを例に挙げて説明する。
【００５５】
このプロセスカートリッジ３Ｙは、潜像担持体である感光体ドラムＹを中心に、その回転方向上流側から感光体ドラムＹに潤滑剤を塗布する潤滑剤塗布手段３０Ｙと、１次転写後も感光体ドラムＹ上に残留する転写残トナーをクリーニングするクリーニング手段３１Ｙと、感光体ドラムＹの外周表面を所定の極性に一様に帯電させる帯電手段３２Ｙと、感光体ドラムＹが担持する静電潜像をイエロー色のトナーで可視像化する現像装置３３Ｙと、から主に構成されている。
【００５６】
この潤滑剤塗布手段３０Ｙは、収容ケース３０Ｙａと、この収容ケース３０Ｙａに収容され、直方体に成形された固形潤滑剤３０Ｙｂと、回転することにより、この固形潤滑剤３０Ｙｂを削り取って感光体ドラムＹに塗布するブラシローラ３０Ｙｃと、このブラシローラ３０Ｙｃに固形潤滑剤３０Ｙｂを押圧する加圧スプリング３０Ｙｄとから主に構成されている。
【００５７】
クリーニング手段３１Ｙは、感光体ドラムＹに当接し１次転写後も感光体ドラムＹの外周表面に付着する１次転写残トナーを掻きとってクリーニングするクリーニングブレード３１Ｙａと、その支持部材３１Ｙｂと、この支持部材３１Ｙｂを加圧してクリーニングブレード３１Ｙａを所定圧で感光体ドラムＹに押圧する付勢手段であるブレード加圧スプリング３１Ｙｃと、クリーニングブレード３１Ｙａで掻きとった転写残トナーを図示しない廃トナータンクへ搬送するトナー搬送スクリュー３１Ｙｄと、から構成されている。
【００５８】
なお、潤滑剤塗布手段３０Ｙは、クリーニング手段３１Ｙ内にクリーニングブレード３１Ｙａと共に設けてもよい。そうすることで、ブラシローラ３０Ｙｃで感光体ドラムＹを摺擦することでブラシに付着するトナーを、固形潤滑剤３０Ｙｂ又はフリッカーで振り落とし、容易に回収することができる。
【００５９】
帯電手段３２Ｙは、感光体ドラムＹと近接配置され感光体ドラムＹの外周表面を所定の極性に一様に帯電させる帯電部材としての帯電ローラ３２Ｙａと、この帯電ローラ３２Ｙａに当接するように配置され、帯電ローラ３２Ｙａに付着したトナーを除去するクリーニングローラ３２Ｙｂとから構成されている。
【００６０】
［現像装置］
次に、現像装置３３Ｙについて図３を用いて詳細に説明する。
図３は、本発明の実施の形態に係る現像装置を示す構成説明図である。
図示する現像装置３３Ｙは、本発明の現像装置の一実施の形態として例示する２軸搬送タイプの２成分現像方式の現像装置であり、トナーとキャリアからなる粉体状の２成分現像剤を収容する現像剤収容ケース３３Ｙａと、この現像剤収容ケース３３Ｙａに軸支され、図の矢印法方向に駆動回転し、現像バイアスを印加可能な現像剤担持体である現像ローラ３３Ｙｂと、同じく現像剤収容ケース３３Ｙａに軸支され、現像剤を攪拌しながら現像ローラ３３Ｙｂへ搬送する２本の攪拌スクリュー３３Ｙｃ，３３Ｙｄと、その搬送経路である第１の現像剤搬送路３３Ｙｅ、第２の現像剤搬送路３３Ｙｆと、現像ローラが担持する現像剤の層厚を規制する現像剤規制部材であるドクタブレード３３Ｙｇなどから構成されている。
【００６１】
この現像剤収容ケース３３Ｙａは、図に示すように、現像ローラ３３Ｙｂを露出させる開口部を有し、現像剤を現像ローラ３３Ｙｂに供給する搬送経路となっており、第１の現像剤搬送路３３Ｙｅと、第２の現像剤搬送路３３Ｙｆと、に主に区分けされ、この第２の現像剤搬送路３３Ｙｆの底部に後述のドライバー挿入用の挿入口Ｄが設けられていると共に、この挿入口Ｄは、フィルム状のシールＳがケースの外側から貼着されて塞がれている。
【００６２】
現像ローラ３３Ｙｂは、現像剤を担持し易いように表面が加工された現像スリーブ３４Ｙと、この現像スリーブ３４Ｙの内部に装着された磁界発生手段としてのマグネットローラ３５Ｙと、から構成され、現像剤収容ケース３３Ｙａの開口部から部分的に露出して感光体ドラムＹと対向して近接配置され、図の矢印方向に回転駆動される。このマグネットローラ３５Ｙは、現像スリーブ３４Ｙの軸方向に延びる磁石Ｐ１、Ｐ２、Ｐ３、Ｐ４、Ｐ５を有し、磁石Ｐ３と磁石Ｐ４とが同極性の磁界を発生させる向きに設置され、他は隣り合う磁石が異なる極性の磁界を発生させる向きに設置されている。
【００６３】
攪拌スクリュー３３Ｙｃ，３３Ｙｄは、それぞれ回転軸と、スクリュー面を有し、第１の現像剤搬送路３３Ｙｅ、第２の現像剤搬送路３３Ｙｆとに設置されている。そして、図の矢印方向に回転し、現像剤を攪拌しながら帯電させ、互いに逆方向に搬送して、現像剤を現像ローラ３３Ｙｂの軸方向（水平方向に）に沿って循環しながら現像ローラ３３Ｙｂへ供給する。
【００６４】
ドクタブレード３３Ｙｇは、現像ローラ３３Ｙｂの軸方向を長手方向とする矩形状の平板部であるブレード板からなり、現像剤収容ケース３３Ｙａから突き出して、その突端が現像ローラ３３Ｙｂの外周面と所定のギャップＧだけ離間するように現像剤収容ケース３３Ｙａにネジｎでネジ止めされている。このドクタブレード３３Ｙｇのブレード板は、長手方向に沿って複数のネジ孔ｈ１を有し、このネジ孔ｈ１には、ネジｎのネジ山と螺合するネジ溝が形成されている。そして、現像剤収容ケース３３Ｙａの内側にネジｎのネジ頭がくるようにネジ止めされている。なお、ドクタブレード３３Ｙｇを平板部からのみなるブレード板ではなく、強度を持たすため折り曲げた山形プレートから構成してもよい。その場合は、折り返し部は、現像剤収容ケース側に折り曲げる。
【００６５】
（現像動作）
次に、現像装置の動作について図３を用いて説明する。
現像剤が攪拌スクリュー３３Ｙｃ，３３Ｙｄで撹拌されて、トナーが所定の極性に帯電され、キャリアがその反対極性に帯電される。そして、この帯電されたイエロー色のトナーが剤供給領域で現像ローラ３３Ｙｂのマグネットローラ３５Ｙの磁力に汲み上げられ、現像ローラ３３Ｙｂ（現像スリーブ３４Ｙ）に担持される。そして、ドクタブレード３３Ｙｇの先端で現像剤の層厚が規制され、現像ローラ３３Ｙｂが回転することにより感光体ドラムＹの外周面と近接する現像領域に運ばれる。そこで、現像ローラ３３Ｙｂに担持されたイエロー色のトナーが、感光体ドラムＹの外周面に形成された静電潜像に静電的に移行することにより感光体ドラムＹ上の静電潜像が可視化されてイエロートナー像となる。現像後に感光体ドラムＹの外周表面に残る現像剤は、現像ローラ３３Ｙｂの更なる回転により剤離脱領域へ搬送される。剤離脱領域は、マグネットローラ３５Ｙの磁石Ｐ３、Ｐ４が反発磁界を発生している反発磁界領域となっており、この磁力で搬送されてきた現像剤を現像スリーブ３４Ｙの表面から離脱させる。この剤離脱領域において、現像スリーブ３４Ｙの表面から離脱した現像剤は、第２の現像剤搬送路３３Ｙｆに落下し、再度の現像に使用される。
【００６６】
（プロセスカートリッジの動作）
次に、プロセスカートリッジの動作について図２を用いて説明する。
先ず、帯電ローラ３２Ｙａにより感光体ドラムＹの外周表面を均一に所定の極性に帯電し、この帯電ローラ３２Ｙａの感光体ドラムＹの回転方向下流域において、光学ユニット４により画像情報に基いてレーザ光Ｌを照射し、一様に帯電させた感光体ドラムＹの表面電位を照射した部分だけ低下させることにより静電潜像を形成する。そして、前記のように現像装置３３Ｙで静電潜像をトナー像化して現像する。このトナー像は、感光体ドラムＹの回転に伴って１次転写ニップに移動し、そこで、１次転写ローラ５５Ｙから１次転写バイアスが印加され、中間転写ベルト５０へ転写される。その後、潤滑剤塗布手段３０Ｙで感光体ドラムＹの表面に潤滑剤が塗布される。そして、１次転写後も感光体ドラムＹの外周表面に付着する１次転写残トナーが、クリーニング手段３１Ｙでクリーニングされ、再度の画像形成に備えられる。
【００６７】
（画像形成動作）
次に、カラープリンタ１の画像形成動作について図１を用いて説明する。
先ず、前述のように、プロセスカートリッジ３Ｙにおいてイエローの単色トナー像が感光体ドラムＹ上に形成される。続いて、１次転写ニップまで感光体ドラムＹを回転させ、そこで、１次転写ローラ５５Ｙにより、トナーの極性とは逆極性（例えば、プラス）の１次転写バイアスを印加し、静電引力により中間転写ベルト５０にイエロー単色のトナー像を転写する。これと同様に、その他のプロセスカートリッジ３Ｃ，３Ｍ，３Ｋにおいても単色トナー像の画像形成が行われると共に、中間転写ベルト５０の回転のタイミングに合わせてイエロー、シアン、マゼンダの順番で１次転写が行われ中間転写ベルト５０上に重畳されて、フルカラーのトナー像が形成される。
【００６８】
一方、給紙部７から搬送されてきた記録材がレジストローラ対７２により転写とのタイミングを調整されて２次転写ニップに送られる。そこで、２次転写ローラ５６により２次転写バイアスが印加され、静電引力により中間転写ベルト５０上のフルカラーのトナー像が記録材上に転写される。次に、この未定着のトナー像を表面に担持した記録材が定着部６の定着ニップに送られ、熱と圧力が加えられて定着される。このように、記録材に画像が定着された後、排紙部８に排出されてスタックされる。また、２次転写後の中間転写ベルト５０の表面に転写後も付着する転写残トナーは、クリーニングユニット５７により除去され、再度の画像形成動作に備えられる。そして、クリーニングユニット５７で除去された転写残トナーは、図示しない廃トナータンクなどに運ばれ廃棄される。
【００６９】
［ネジとネジ孔］
次に、本発明の実施の形態に係るネジとそのネジ孔について図３〜５用いて説明する。図４は、本発明のネジの一実施の形態として例示するネジの概略を示す正面図であり、図５は、図３の矢印Ａ方向に現像剤収容ケースの内側を見た現像剤収容ケースの貫通孔を示すＡ矢視図である。
図４に示すように、本発明のネジの一実施の形態として例示するネジｎは、非磁性材料からなり、ネジ頭ｎ１と、ネジ足ｎ２と、その間に設けられた段部ｎ３とから構成された段ネジである。この段部ｎ３は、図に示すように、その直径ｒ３が、ネジ頭ｎ１の直径ｒ１より小さくネジ足ｎ２の外径ｒ２より大きく形成され、外周面には、ネジ山は形成されていない。また、ネジ足ｎ２の長さｔ２は、ドクタブレード３３Ｙｇから突出しない長さに設定されている。つまり、ｔ２≦Ｔとなっている。
【００７０】
図５に示す現像剤収容ケース３３Ｙａのネジｎが貫通する孔（ｈ２）は、ドクタブレード３３Ｙｇに設けられ、ネジｎと螺合する複数のネジ孔ｈ１と対応する位置に設けられた現像剤収容ケース３３Ｙａ側の孔の１つを図示したものであり、図に示すように、現像ローラ３３Ｙｂの軸線に対して垂直方向に長い、長径ｒ４、短径ｒ５からなる長円孔となっている。また、現像剤収容ケース３３Ｙａには、この長円孔ｈ２の内側壁面に長円孔ｈ２と略相似形に窪んだ座繰り部ｈ３（図５の斜線部）が設けられている。この座繰り部ｈ３は、ネジｎのネジ頭ｎ１を収容するスペースであり、ネジ頭ｎ１の厚さｔ１と座繰り部ｈ３の深さｄが略同じに設定されている。また、座繰り部ｈ３の最短の内径ｒ６は、ネジ頭ｎ１の直径ｒ１より僅かながら小さい略同径となっている。このため、ネジｎのネジ頭ｎ１が現像剤搬送の支障とならず、且つ、座繰り部ｈ３に溜まる無駄な現像剤を最小にすることができる。また、座繰り部ｈ３がネジｎを長円孔ｈ２に装着する際のガイドの機能を果たし、容易にネジ止めすることができる。
【００７１】
また、ネジｎの段部ｎ３は、その直径ｒ３が長円孔ｈ２の短径ｒ５と嵌め合い公差の関係にあるので、外周面にネジ溝が切られていない段部ｎ３と長円孔ｈ２とを嵌り合わせるだけで微調整することなく現像剤規制部材を所定のギャップＧとなるように取り付けることができる。
【００７２】
（挿入口の位置）
次に、挿入口の位置について図３を用いて説明する。
挿入口Ｄは、ネジｎを締めるドライバー挿入用の開口であり、ネジｎの軸線延長上に設けられ、且つ、攪拌スクリュー３３Ｙｃ，３３Ｙｄの回転軸と、破線の矢印Ａで示すドライバー挿入経路、即ち、挿入口Ｄとネジ孔ｈ１，ｈ２とを結ぶ直線と、が交差しないように配置されている。つまり、２本の攪拌スクリュー３３Ｙｃ，３３Ｙｄが存在する平面に対してドライバー挿入経路を所定の角度以上になるように設定して、ドライバー挿入経路が、第１の現像剤搬送路３３Ｙｅと第２の現像剤搬送路３３Ｙｆの２つの搬送経路を貫通しないようにして、ドライバーの挿入口を１つにしたので、挿入口を塞ぐ作業が１箇所で済み、作業能率が向上する。
【００７３】
次に、本発明の実施の形態に係るネジ止め方法について図６、３を用いて説明する。
図６は、本発明の実施の形態に係るネジ止め方法を説明する説明図である。
図６に示すように、ドクタブレード３３Ｙｇを現像剤収容ケース３３Ｙａにネジ止めする際には、基本的には、攪拌スクリュー３３Ｙｄが未装着の状態で取り付ける。攪拌スクリュー３３Ｙｄが邪魔で、作業がし難いからである。しかし、前述のように、攪拌スクリュー３３Ｙｄの回転軸と、ドライバー挿入経路とは交差しないように、挿入口Ｄの位置を設定しているので、攪拌スクリュー３３Ｙｄを現像剤収容ケース３３Ｙａに装着した後でも、ネジ止めすることができる。そのため、メンテナンスなどの再調整の際に、ドクタブレード３３Ｙｇと現像ローラ３３Ｙｂとのギャップを容易に再調整することができる。
このとき、図示のように、ギャップＧと同厚のプレートＰをドクタブレード３３Ｙｇと現像ローラ３３Ｙｂとの間に挿入して噛ました状態で挿入口Ｄからドライバーを挿入して、ネジ止めするとギャップＧの設定が容易、且つ、確実に行える。
そして、ギャップを所定値Ｇとしてネジ止めしたら、図３に示すように、フィルム状のシールＳを現像剤収容ケース３３Ｙａの外側から貼り付け、挿入口Ｄを塞ぐ。このように、シール貼着するという極めて簡単な作業だけで挿入口を塞ぐことができるので、作業能率が向上する。
【００７４】
以上のように、本実施の形態に係る現像措置、プロセスカートリッジによれば、感光体ドラムを小型化しても光学ユニットからのレーザ光線の経路を確保することができるので、レイアウトの自由度を備えたまま現像装置、プロセスカートリッジを小型化することができる。なお、以上の説明において、本発明の実施の形態に係るネジを、段ネジのものを例に挙げて説明したが、平ネジ、丸ネジ、鍋底ネジ等の市販の一般的なネジでもよく、その場合でも、ネジ頭が、現像剤収容ケース及び現像剤規制部材から外部に飛び出していないので、レーザ光線の経路を確保できるのは云うまでもない。また、現像剤の攪拌搬送手段としてスクリュー状の攪拌スクリューを例に挙げて説明したが、ドライバーを挿入した場合に撓んでドライバーを避けることのできる十分な可撓性を有する攪拌羽根（例えば、マイラー製の攪拌羽根）としてもよい。そうすることで、攪拌羽根を現像剤収容ケースに取り付けた状態でドクタブレードを現像剤収容ケースに取り付けることもでき作業性が向上する。また、ドクタブレードと現像ローラとのギャップを微調整することも容易であり、メンテナンスなどの再調整の際に、攪拌羽根を取り外す必要がない。
【００７５】
また、この発明の実施の形態の画像形成装置として４連タンデム型の中間転写方式ものを例に挙げて説明したが、必ずしもこのようなものに限られず、例えば、４連タンデム型の直接転写方式のものや、モノクロ用の画像形成装置であって構わない。要するに、現像剤収容ケースと現像ローラと現像剤規制部材とを備え、この現像剤規制部材の突端が、現像ローラの外周面と所定のギャップだけ離間するように、現像剤収容ケースにネジでネジ止めされている画像形成装置であればよい。
また、ニュートナー収容部、光学ユニット、転写部、定着部、給紙部、排紙部等の細部の構成は、あくまでも一例を示したものであって、他の既知の装置・手段などの構成を採用することができる。その場合でも、前記課題に対して同様の効果を奏することは明らかである。
なお、図面で示した各構成部材の形状や構造等も、あくまでも好ましい一例を示すものである。
【図面の簡単な説明】
【００７６】
【図１】本発明の第１の実施の形態に係る画像形成装置を示す構成説明図である。
【図２】本発明の一実施の形態に係るプロセスカートリッジを示す構成説明図である。
【図３】本発明の実施の形態に係る現像装置を示す構成説明図である。
【図４】本発明のネジの一実施の形態として例示するネジの概略構成を示す正面図である。
【図５】図３の矢印Ａ方向に現像剤収容ケースの内側を見た現像剤収容ケースの貫通孔を示すＡ矢視図である。
【図６】本発明の実施の形態に係るネジ止め方法を説明する説明図である。
【図７】感光体ドラムを小径化した場合の問題点を説明する説明図である。
【符号の説明】
【００７７】
１                              カラープリンタ（画像形成装置）
３Ｙ，３Ｃ，３Ｍ，３Ｋ          プロセスカートリッジ
３３Ｙ                          現像装置
３３Ｙａ                        現像剤収容ケース
ｈ２                            長円孔（ネジが貫通する孔）
ｈ３                            座繰り部
３３Ｙｂ                        現像ローラ（現像剤担持体）
３３Ｙｃ，３３Ｙｄ              攪拌スクリュー（攪拌搬送手段）
３３Ｙｅ                        第１の現像剤搬送路（搬送経路）
３３Ｙｆ                        第２の現像剤搬送路（搬送経路）
３３Ｙｇ                        ドクタブレード（現像剤規制部材）
ｈ１                            ネジ孔
ｎ                              ネジ
ｎ１                            ネジ頭
ｎ２                            ネジ足
ｎ３                            段部
Ｄ                              挿入口
Ｓ                              シール
【図１】
0005157552.tif 000002
【図２】
0005157552.tif 000003
【図３】
0005157552.tif 000004
【図４】
0005157552.tif 000005
【図５】
0005157552.tif 000006
【図６】
0005157552.tif 000007
【図７】
0005157552.tif 000008